(57)【要約】【課題】一人でゴルフプレーの申し込みを行うことができるようにすること。【解決手段】複数の申込者の各端末装置と、ゴルフパーティマッチメイキング支援サービスを行う業者の第１のサーバとがインターネットを介して接続され、各端末装置は、前記各申込者の会員情報、プレーの条件等を入力する入力手段を備え、前記第１のサーバは会員情報を登録するための会員情報登録手段と、条件を登録するための条件登録手段と、会員情報を格納する会員情報格納手段と、条件情報を格納する条件情報格納手段と、ゴルフ場の情報を格納するゴルフ場情報格納手段と、前記入力された複数の条件情報を読み出して照合し、条件が合致した申込者同士を1組のパーティとして成立させるマッチメイキング手段とを備えるとともに、前記パーティが成立した場合には、前記各申込者に対して、パーティが成立した旨を電子メールにて通知する手段とを備えることによって達成される。【選択図】図５
2006331242.tif 000002
【特許請求の範囲】
【請求項１】
ゴルフプレーを希望する複数の申込者の各端末装置と、ゴルフパーティマッチメイキング支援サービスを行う業者の第１のサーバとがインターネットを介して相互に通信可能に接続されたインターネットを利用したゴルフパーティマッチメイキング支援システムであって、
前記各端末装置は、前記各申込者の会員情報、プレーの条件、及び同伴者の条件を入力する入力手段を備え、
前記第１のサーバは前記各端末装置から入力された会員情報を登録するための会員情報登録手段と、前記各端末装置から入力された条件を登録するための条件登録手段と、前記登録された会員情報を格納する会員情報格納手段と、前記登録された条件情報を格納する条件情報格納手段と、前記業者が契約しているゴルフ場の営業情報を格納するゴルフ場情報格納手段と、前記条件情報格納手段に格納されている複数の申込者から入力された複数の条件情報を読み出して照合し、条件が合致した申込者同士を1組のパーティとして成立させるマッチメイキング手段とを備えるとともに、
前記パーティが成立した場合には、前記各申込者に対して、パーティが成立した旨、同伴者の少なくとも氏名と電話番号を含む会員情報、ゴルフ場情報とを含むパーティ成立通知を電子メールにて通知するメール送信手段とを備えたことを特徴とするインターネットを利用したゴルフパーティマッチメイキング支援システム。
【請求項２】
前記契約ゴルフ場が管理し、インターネットを介してプレーの予約を受け付けるプレー予約受付手段を備えた第２のサーバが前記インターネットに接続されており、前記第１のサーバが、前記申込者の条件に合致したゴルフ場の前記プレー予約受付手段に対してプレーの予約を行うゴルフ場予約手段をさらに備えたことを特徴とする請求項１に記載のインターネットを利用したゴルフパーティマッチメイキング支援システム。
【請求項３】
前記プレーの条件が、少なくとも、プレー希望日、プレー希望エリア、ハンディキャップ若しくは直近スコアを含むものである請求項１又は２に記載のインターネットを利用したゴルフパーティマッチメイキング支援システム。
【請求項４】
前記同伴者の条件が、少なくとも同伴者の性別、年齢、及びハンディキャップ若しくは直近スコアを含むものである請求項１乃至３のいずれかに記載のインターネットを利用したゴルフパーティマッチメイキング支援システム。
【請求項５】
前記会員情報は、少なくとも申込者の氏名、性別、年齢、住所、電話番号、及びメールアドレスを含むものであることを特徴とする請求項１乃至４のいずれかに記載のインターネットを利用したゴルフパーティマッチメイキング支援システム。
【請求項６】
前記端末装置は、パソコン、携帯用情報端末、又は携帯電話のいずれかである請求項１乃至５のいずれかに記載のインターネットを利用したゴルフパーティマッチメイキング支援システム。
【発明の詳細な説明】
【技術分野】
【０００１】
本発明は、インターネットを利用したゴルフパーティマッチメイキング支援システムに関するものであり、特に、希望する条件に合致した者どうしをＷｅｂ上で１組のパーティとして成立させるサービスを行うシステムに関するものである。
【背景技術】
【０００２】
従来、ゴルフのプレーを希望する者は、自分で仲間を集めてパーティ（普通は４名から成る）を結成し、希望するゴルフ場に予約を入れる必要があった。
しかしながら、ゴルフ仲間がいない場合（いても集まらない場合を含む。）、仲間はいるもののたまには同じレベルの実力を持つ者どうしで競い合いたい場合、又はゴルフを通じた異性との出会いを求める場合など、一人で申し込みたいというニーズが存在する。かかる場合、希望するゴルフ場が一人での申し込みを受け付けてくれれば問題ないが、そのような受付をしていないゴルフ場の場合はプレーを諦めざるを得なかった。
【０００３】
これに対して、インターネットを利用して、ゴルフ場に対して一人でプレーの申し込みを行うことのできるシステムが提案されている（特許文献１参照）。これは、当該ゴルフ場のＷｅｂサイトから予約エントリーを行うと、その予約者と過去に同じパーティでプレーした者を当該ゴルフ場の会員データベースの中から選択（検索）し、選択した会員に自動的に案内メールを送信することにより、案内に応じた者どうしでパーティを編成するというシステムである。これにより、一人でも申し込むことができ、しかも面識のある者どうしでプレーすることができるというメリットはあるが、反面、そのゴルフ場で過去にプレーをしたことがなければ申し込むことはできず、また、そのゴルフ場がそのようなコンピュータシステムを導入していなければ実現できないというデメリットもある。
【特許文献１】特開２００２−３１２５３０号公報
【発明の開示】
【発明が解決しようとする課題】
【０００４】
本発明は上述のような事情に鑑み為されたものであり、本発明は、初めてのゴルフ場であっても一人で申し込みを行うことができ、また自分の希望するプレー条件に合致した同伴者とのラウンドを可能とするインターネットを利用したゴルフパーティマッチメイキング支援システムを提供することを目的とする。
【課題を解決するための手段】
【０００５】
本発明はインターネットを利用したゴルフパーティマッチメイキング支援システムに関し、本発明の上記目的は、ゴルフプレーを希望する複数の申込者の各端末装置と、ゴルフパーティマッチメイキング支援サービスを行う業者の第１のサーバとがインターネットを介して相互に通信可能に接続されたインターネットを利用したゴルフパーティマッチメイキング支援システムであって、前記各端末装置は、前記各申込者の会員情報、プレーの条件、及び同伴者の条件を入力する入力手段を備え、前記第１のサーバは前記各端末装置から入力された会員情報を登録するための会員情報登録手段と、前記各端末装置から入力された条件を登録するための条件登録手段と、前記登録された会員情報を格納する会員情報格納手段と、前記登録された条件情報を格納する条件情報格納手段と、前記業者が契約しているゴルフ場の営業情報を格納するゴルフ場情報格納手段と、前記条件情報格納手段に格納されている複数の申込者から入力された複数の条件情報を読み出して照合し、条件が合致した申込者同士を1組のパーティとして成立させるマッチメイキング手段とを備えるとともに、前記パーティが成立した場合には、前記各申込者に対して、パーティが成立した旨、同伴者の少なくとも氏名と電話番号を含む会員情報、ゴルフ場情報とを含むパーティ成立通知を電子メールにて通知するメール送信手段とを備えることによって達成される。
【０００６】
また、本発明の上記目的は、前記契約ゴルフ場が管理し、インターネットを介してプレーの予約を受け付けるプレー予約受付手段を備えた第２のサーバを前記インターネットに接続し、前記第１のサーバが、前記申込者の条件に合致したゴルフ場の前記プレー予約受付手段に対してプレーの予約を行うゴルフ場予約手段をさらに備えることによって、効果的に達成される。
【０００７】
さらに、本発明の上記目的は、前記プレーの条件が、少なくとも、プレー希望日、プレー希望エリア、ハンディキャップ若しくは直近スコアを含むものであること、或いは、前記同伴者の条件が、少なくとも同伴者の性別、年齢、及びハンディキャップ若しくは直近スコアを含むものであること、或いは、前記会員情報が、少なくとも申込者の氏名、性別、年齢、住所、電話番号、及びメールアドレスを含むものであること、或いは、前記端末装置を、パソコン、携帯用情報端末、又は携帯電話のいずれかとすることによって、さらに効果的に達成される。
【発明の効果】
【０００８】
本発明に係るゴルフパーティマッチメイキング支援システムによれば、一人でゴルフプレーの申し込みを行うことができ、また自分の希望するプレー条件に合致した同伴者とのラウンドが可能となるので、ゴルフのプレーの楽しみが増えるとともに、ゴルフ場側にとっても来場客の確保が容易となり、双方にとってメリットがある。
【発明を実施するための最良の形態】
【０００９】
以下、本発明に係るインターネットを利用したゴルフパーティマッチメイキング支援システムの好ましい実施の形態について、図面を参照しつつ詳細に説明する。
図１は本発明に係るインターネットを利用したゴルフパーティマッチメイキング支援システムの構成を示す概念図である。ゴルフプレーを希望する複数の申込者の各端末装置１０と、ゴルフパーティマッチメイキング支援サービスを行う業者の第１のサーバ２０とがインターネット４０を介して相互に通信可能に接続されており、前記第１のサーバ２０にはさらに情報格納手段（データベース）３０が接続されている。データベース３０には、申込者の個人情報である会員情報３１、プレーを希望するゴルフ場の条件（場所、料金等）や同伴者の条件を含むプレー希望条件情報３２、及び前記業者と契約しているゴルフ場の営業情報（場所、料金、コース形態、設備等）であるゴルフ場情報３３が格納されている。
さらには、インターネット４０には前記ゴルフ場自身が管理する第２のサーバ５０が接続されている。この第２のサーバ５０はプレー予約受付手段を備えており、第１のサーバ２０に備えられている後述のゴルフ場予約手段２４から送信されたプレー予約情報を受け付けるようになっている。
【００１０】
図２は第１のサーバ２０の構成を示すブロック図である。会員情報登録手段２１は前記各端末装置（例えば、パソコン、携帯電話、携帯用情報端末）１０の入力手段から入力された会員情報を受け付けて、データベース３０内に会員情報３１として登録する機能を有するものである。具体的には、図３に示すような登録画面を用いて登録を受け付ける。
希望条件登録手段２２は前記端末装置１０の入力手段から入力されたプレー条件（希望日、ゴルフ場の所在エリア、料金、キャディ要否、乗用カート要否など）、希望する同伴者の条件（性別、年齢、スコア又はハンディキャップ）、及びその他の条件（既定の同伴者名、自分の直近スコアなど）を受け付けて、データベース３０内にプレー希望条件情報３２として登録する機能を有するものである。具体的には、図４に示すような入力画面を用いて登録を受け付ける。
マッチメイキング手段２３はデータベース３０内にある複数（４件以上）のプレー希望条件情報を検索し、条件が合致する申込者を抽出して、４名１組としてゴルフパーティを成立させる機能を有するものである。合致させる条件項目としては、例えば、プレー希望日、ゴルフ場のエリア、同伴者の性別、年齢、スコア又はハンディキャップなど、適宜設定することができる。
ゴルフ場予約手段２４は、マッチメイキング手段２３によってパーティが成立した場合、データベース３０にあるゴルフ場情報３３を検索して希望条件に合致するゴルフ場をリストアップし、そのゴルフ場自身が管理する第２のサーバ５０のプレー予約受付手段に対してプレー予約情報を送信し、プレーの予約を行うものである。
メール送受信手段２５は、プレー予約が成立した場合に、前記第２のサーバの予約受付手段から送信される予約成立メールを受信したり、組み合わせが成立したパーティのメンバー全員に対してパーティ成立通知メールを送信したりするものである。なお、制御部２６は前記各手段を所定のプログラムに従って制御するものであり、例えば、マイクロプロセッサ（ＭＰＵ）で構成される。
【００１１】
以上の構成によるインターネットを利用したゴルフパーティマッチメイキング支援システムを用いてゴルフパーティのマッチメイクを行う処理の流れを、図５に示したフローチャートに基づいて説明する。
【００１２】
まず、ゴルフプレーを希望する申込者が、自分の端末装置１０からパーティ成立支援業者のサイト（第１のサーバにある）にアクセスし、会員登録画面（図３）から必要な情報を入力し、会員登録を行う（ステップＳ１）。ただし、この登録は初回のみである。登録された会員情報はデータベース３０に格納される。
次に、同じサイトのプレー予約画面（図４の希望条件入力画面を指す）にログインし、希望するプレー条件及び同伴者の条件等を入力する（ステップＳ２）。既に同伴者が確定していればその氏名も入力する。入力されたプレー希望条件情報はデータベース３０に格納される。
【００１３】
次に、マッチメイキング手段２３が、データベース３０の中のプレー希望条件情報３２を検索し、希望条件が合致する申込者を抽出して、４名１組としてゴルフパーティを成立させる（ステップＳ３）。
ここで、パーティが成立した場合は、ゴルフ場予約手段２４がデータベース３０にあるゴルフ場情報３３を検索して希望条件に合致するゴルフ場をリストアップし、そのゴルフ場自身が管理する第２のサーバ５０のプレー予約受付手段に対してプレー予約情報を送信し、プレーの予約を行う（ステップＳ４）。
【００１４】
予約が確定した場合は、予約確定通知を予約成立したパーティメンバー全員に電子メールで通知する（ステップＳ５）。図６は予約確定通知メールの一例を示すものである。同伴者の情報はデータベース３０の会員情報３１から抽出されるものである。
【００１５】
一方、マッチメイキング手段によってパーティが成立しなかった場合、プレー希望日を経過していなければ、パーティが成立するまで繰り返す。パーティが成立せずにプレー希望日を経過してしまった場合は、予約不成立通知を電子メールにて申込者に通知する（ステップＳ６）。パーティは成立したものの、ゴルフ場の予約が取れなかった場合も同様に予約不成立通知を行う。図７は予約不成立通知メールの一例を示すものである。
【００１６】
なお、本発明は特許請求の範囲の請求項に記載された通りのものであり、発明を実施するための最良の形態の中で説明した実施例に限定されるものではなく、発明の趣旨を逸脱しない範囲で種々の変更が可能である。
【図面の簡単な説明】
【００１７】
【図１】本発明に係るインターネットを利用したゴルフパーティマッチメイキング支援システムの構成を示す概念図である。
【図２】第１のサーバ２０の構成を示すブロック図である。
【図３】会員登録画面の一例を示すものである。
【図４】プレー希望条件入力画面の一例を示すものである。
【図５】ゴルフパーティのマッチメイクを行う処理の流れを示したフローチャートである。
【図６】予約確定通知メールの一例を示すものである。
【図７】予約不成立通知メールの一例を示すものである。
【符号の説明】
【００１８】
１０  申込者の端末装置
２０  第１のサーバ
２１  会員情報登録手段
２２  希望条件登録手段
２３  マッチメイキング手段
２４  ゴルフ場予約手段
２５  メール送受信手段
２６  制御部
３０  情報格納手段（データベース）
３１  会員情報
３２  プレー希望条件情報
３３  ゴルフ場情報
４０  インターネット
５０  第２のサーバ
【図１】
2006331242.tif 000003
【図２】
2006331242.tif 000004
【図３】
2006331242.tif 000005
【図４】
2006331242.tif 000006
【図５】
2006331242.tif 000007
【図６】
2006331242.tif 000008
【図７】
2006331242.tif 000009